(57)【要約】【課題】複数の場所への払い出しを行うことなく、払い出された紙幣の表裏および天地の向きを係員が容易に揃えることができる紙幣処理装置を提供する。【解決手段】制御部は、天表向きと識別された紙幣が非反転搬送経路部を搬送され地裏向きと識別された紙幣が反転搬送経路部を搬送されることにより表裏および天地の向きが揃った第１の紙幣の束を搬送部により出金部に投出させる（Ｓ１１２〜Ｓ１１８）。さらに、制御部は、出金部内から第１の紙幣の束が無くなったことが紙幣検出部により検出されると、地表向きと識別された紙幣が非反転搬送経路部を搬送され天裏向きと識別された紙幣が反転搬送経路部を搬送されることにより表裏および天地の向きが揃った、第１の紙幣の束とは紙幣の向きが異なる第２の紙幣の束を、搬送部により出金部に投出させる（Ｓ１２０〜Ｓ１２７）。【選択図】図５
2018092381.tif 000002
【特許請求の範囲】
【請求項１】
紙幣が投入される入金部と、
紙幣が投出される出金部と、
紙幣を収納するための収納領域部と、
前記入金部と前記収納領域部との間および前記収納領域部と前記出金部との間で紙幣を搬送する搬送部と、
前記搬送部により搬送される紙幣の向きが、表裏および天地の向きがそれぞれ異なる第１の向き、第２の向き、第３の向きおよび第４の向きの何れであるかを識別する識別部と、
制御部と、を備え、
前記搬送部は、第１の搬送経路部と、当該第１の搬送経路部と経路の異なる第２の搬送経路部とを含み、
前記制御部は、
前記第１の向きと識別された紙幣が前記第１の搬送経路部を搬送され前記第２の向きと識別された紙幣が前記第２の搬送経路部を搬送されることにより表裏および天地の向きが揃った第１の紙幣の束を、前記搬送部により前記出金部に投出させた後、前記第３の向きと識別された紙幣が前記第１の搬送経路部を搬送され前記第４の向きと識別された紙幣が前記第２の搬送経路部を搬送されることにより表裏および天地の向きが揃った、前記第１の紙幣の束とは紙幣の向きが異なる第２の紙幣の束を、前記搬送部により前記出金部に投出させる、
ことを特徴とする紙幣処理装置。
【請求項２】
前記出金部内の紙幣の有無を検出する紙幣検出部を、さらに備え、
前記制御部は、前記出金部内から前記第１の紙幣の束が無くなったことが前記紙幣検出部により検出されると、前記第２の紙幣の束を、前記搬送部により前記出金部に投出させる、
ことを特徴とする請求項１に記載の紙幣処理装置。
【請求項３】
紙幣の搬送を指示するための搬送指示部を、さらに備え、
前記制御部は、前記搬送指示部により紙幣の搬送が指示されると、前記第２の紙幣の束を、前記搬送部により前記出金部に投出させる、
ことを特徴とする請求項１に記載の紙幣処理装置。
【請求項４】
報知部を、さらに備え
前記制御部は、前記第１の紙幣の束の前記出金部からの抜き取りを促す報知を前記報知部に行わせる、
ことを特徴とする請求項１ないし３の何れか一項に記載の紙幣処理装置。
【請求項５】
前記制御部は、前記収納領域部へ収納された紙幣の枚数が所定の整理枚数になると、収納された紙幣を前記搬送部により前記出金部に投出させる、
ことを特徴とする請求項１ないし４の何れか一項に記載の紙幣処理装置。
【請求項６】
前記第１の搬送経路部は、紙幣の表裏の向きが前記識別部で識別された向きから反転されない非反転搬送経路部であり、
前記第２の搬送経路部は、紙幣の表裏の向きが前記識別部で識別された向きから反転される反転搬送経路部である、
ことを特徴とする請求項１ないし５の何れか一項に記載の紙幣処理装置。
【請求項７】
前記制御部は、前記収納領域部に収納された紙幣を前記出金部に投出させるとき、
前記第１の向きと識別された紙幣を、前記収納領域部から出して前記非反転搬送経路部を搬送させるとともに、前記第２の向きと識別された紙幣を、前記収納領域部から出して前記反転搬送経路部を搬送させることにより、前記第１の紙幣の束の紙幣の表裏および天地の向きを揃え、
前記第３の向きと識別された紙幣を、前記収納領域部から出して前記非反転搬送経路部を搬送させるとともに、前記第４の向きと識別された紙幣を、前記収納領域部から出して前記反転搬送経路部を搬送させることにより、前記第２の紙幣の束の紙幣の表裏および天地の向きを揃える、
ことを特徴とする請求項６に記載の紙幣処理装置。
【請求項８】
前記搬送部は、前記出金部の手前において、搬送された紙幣を前記出金部に第１の方向から投出する第１出金搬送路と、搬送された紙幣を前記出金部に前記第１の方向と相反する第２の方向から投出する第２出金搬送路にと分岐され、
前記第１の搬送経路部は、その経路に前記第１出金搬送路を含み、
前記第２の搬送経路部は、その経路に前記第２出金搬送路を含み、
前記出金部では、前記第１の紙幣の束および前記第２の紙幣の束が、それらの表裏および天地の向きが揃う状態で保持される、
ことを特徴とする請求項１ないし５の何れか一項に記載の紙幣処理装置。
【請求項９】
前記制御部は、前記収納領域部に収納された紙幣を前記出金部に投出させるとき、
前記第１の向きと識別された紙幣を、前記収納領域部から出して前記第１出金搬送路を搬送させるとともに、前記第２の向きと識別された紙幣を、前記収納領域部から出して前記第２出金搬送路を搬送させることにより、前記第１の紙幣の束の紙幣の表裏および天地の向きを揃え、
前記第３の向きと識別された紙幣を、前記収納領域部から出して前記第１出金搬送路を搬送させるとともに、前記第４の向きと識別された紙幣を、前記収納領域部から出して前記第２出金搬送路を搬送させることにより、前記第２の紙幣の束の紙幣の表裏および天地の向きを揃える、
ことを特徴とする請求項８に記載の紙幣処理装置。
【請求項１０】
前記制御部は、
前記入金部から紙幣を前記搬送部により前記収納領域部に収納させるとき、紙幣の向きを前記識別部に識別させ、
前記識別部による識別の結果、前記収納領域部において、前記第１の向きと識別された紙幣と、前記第２の向きと識別された紙幣と、前記第３の向きと識別された紙幣と、前記第４の向きと識別された紙幣とを分けて収納する、
ことを特徴とする請求項７または９に記載の紙幣処理装置。
【請求項１１】
前記制御部は、前記入金部に投入された紙幣を前記収納領域部に収納させるとき、
前記入金部から出された紙幣の向きを前記識別部に識別させ、
前記第１の向きと識別された紙幣を、前記非反転搬送経路部を搬送させるとともに、前記第２の向きと識別された紙幣を、前記反転搬送経路部を搬送させることにより、前記第１の紙幣の束の紙幣の表裏および天地の向きを揃え、
前記第３の向きと識別された紙幣を、前記非反転搬送経路部を搬送させるとともに、前記第４の向きと識別された紙幣を、前記反転搬送経路部を搬送させることにより、前記第２の紙幣の束の紙幣の表裏および天地の向きを揃え、
前記収納領域部において、前記第１の紙幣の束と、前記第２の紙幣の束とを分けて収納する、
ことを特徴とする請求項６に記載の紙幣処理装置。
【請求項１２】
紙幣処理装置における紙幣の処理方法であって、
紙幣の向きが、表裏および天地の向きがそれぞれ異なる第１の向き、第２の向き、第３の向きおよび第４の向きの何れであるかを識別部により識別するステップと、
前記第１の向きと識別された紙幣と前記第２の向きと識別された紙幣とが、それぞれ、経路の異なる第１の搬送経路部と第２の搬送経路部とを搬送されることにより表裏および天地の向きが揃った第１の紙幣の束を出金部に投出させるステップと、
前記出金部へ前記第１の紙幣の束が投出された後に、前記第３の向きと識別された紙幣と前記第４の向きと識別された紙幣とが、それぞれ、前記第１の搬送経路部と前記第２の搬送経路部とを搬送されることにより表裏および天地の向きが揃った、前記第１の紙幣の束とは紙幣の向きが異なる第２の紙幣の束を前記出金部に投出させるステップと、を含む、
ことを特徴とする紙幣の処理方法。
【発明の詳細な説明】
【技術分野】
【０００１】
本発明は、紙幣の入出金等を行う紙幣処理装置および紙幣の処理方法に関する。
【背景技術】
【０００２】
顧客に支払われる紙幣の束や所定枚数となるよう整理された紙幣の束において、各紙幣の表裏および天地の向きが揃っていると、見栄えが良い上に取扱いやすい。そこで、特許文献１には、収納部から出金された紙幣の表裏および天地の向きを識別部で識別し、紙幣の表裏の向きを表裏取揃部で揃えた後に、天地が一方向を向く紙幣と天地が一方向とは逆方向を向く紙幣とを振り分け、振り分けられた各紙幣を、入出金口と入金リジェクト口とから払い出すようにした紙幣処理機が記載されている。かかる紙幣処理機では、係員が入出金口から取り出した紙幣の束と、入金リジェクト口から取り出した紙幣の束とを天地の向きを合わせるようにして重ねることで、紙幣処理機から出金された全ての紙幣の表裏および天地の向きを揃えることができる。
【先行技術文献】
【特許文献】
【０００３】
【特許文献１】特開２０１５−４１１３３号公報
【発明の概要】
【発明が解決しようとする課題】
【０００４】
上記の紙幣処理機では、振り分けられた一方の紙幣の束が、出金される紙幣が本来払い出される場所ではない入金リジェクト口に払い出されるため、係員が、その紙幣処理機の取り扱いに不慣れであるような場合に、混乱を来す虞が生じ得る。
【０００５】
かかる課題に鑑み、本発明は、複数の場所への払い出しを行うことなく、払い出された紙幣の表裏および天地の向きを係員が容易に揃えることができる紙幣処理装置および紙幣の処理方法を提供することを目的とする。
【課題を解決するための手段】
【０００６】
本発明の第１の態様に係る紙幣処理装置は、紙幣が投入される入金部と、紙幣が投出される出金部と、紙幣を収納するための収納領域部と、前記入金部と前記収納領域部との間および前記収納領域部と前記出金部との間で紙幣を搬送する搬送部と、前記搬送部により搬送される紙幣の向きが、表裏および天地の向きがそれぞれ異なる第１の向き、第２の向き、第３の向きおよび第４の向きの何れであるかを識別する識別部と、制御部と、を備える。ここで、前記搬送部は、第１の搬送経路部と、当該第１の搬送経路部と経路の異なる第２の搬送経路部とを含む。前記制御部は、前記第１の向きと識別された紙幣が前記第１の搬送経路部を搬送され前記第２の向きと識別された紙幣が前記第２の搬送経路部を搬送されることにより表裏および天地の向きが揃った第１の紙幣の束を、前記搬送部により前記出金部に投出させた後、前記第３の向きと識別された紙幣が前記第１の搬送経路部を搬送され前記第４の向きと識別された紙幣が前記第２の搬送経路部を搬送されることにより表裏および天地の向きが揃った、前記第１の紙幣の束とは紙幣の向きが異なる第２の紙幣の束を、前記搬送部により前記出金部に投出させる。
【０００７】
たとえば、前記出金部内の紙幣の有無を検出する紙幣検出部が、さらに備えられ得る。この場合、前記制御部は、前記出金部内から前記第１の紙幣の束が無くなったことが前記紙幣検出部により検出されると、前記第２の紙幣の束を、前記搬送部により前記出金部に投出させる。
【０００８】
また、たとえば、紙幣の搬送を指示するための搬送指示部が、さらに備えられ得る。この場合、前記制御部は、前記搬送指示部により紙幣の搬送が指示されると、前記第２の紙幣の束を、前記搬送部により前記出金部に投出させる。
【０００９】
上記の構成によれば、係員は、第１の紙幣の束と第２の紙幣の束との表裏および天地の向きを合わせるだけで、容易に表裏および天地の向きが揃った紙幣の束を得ることができる。しかも、後に重ね合される２つの紙幣の束を、同じ出金部に投出させることができる。
【００１０】
第１の態様に係る紙幣処理装置において、報知部をさらに備えるような構成が採られ得る。この場合、前記制御部は、前記第１の紙幣の束の前記出金部からの抜き取りを促す報知を前記報知部に行わせる。
【００１１】
上記の構成によれば、係員は、円滑に出金部から紙幣を抜き取ることができる。
【００１２】
本態様に係る紙幣処理装置において、前記制御部は、前記収納領域部へ収納された紙幣の枚数が所定の整理枚数になると、収納された紙幣を前記搬送部により前記出金部に投出させる。
【００１３】
上記の構成によれば、係員は、整理計数処理において、容易に表裏および天地の向きが揃った整理枚数の紙幣の束を得ることができる。
【００１４】
本態様に係る紙幣処理装置において、前記第１の搬送経路部は、紙幣の表裏の向きが前記識別部で識別された向きから反転されない非反転搬送経路部であり、前記第２の搬送経路部は、紙幣の表裏の向きが前記識別部で識別された向きから反転される反転搬送経路部であるような構成が採られ得る。
【００１５】
上記の構成とされた場合、さらに、前記制御部は、前記収納領域部に収納された紙幣を前記出金部に投出させるとき、前記第１の向きと識別された紙幣を、前記収納領域部から出して前記非反転搬送経路部を搬送させるとともに、前記第２の向きと識別された紙幣を、前記収納領域部から出して前記反転搬送経路部を搬送させることにより、前記第１の紙幣の束の紙幣の表裏および天地の向きを揃え、前記第３の向きと識別された紙幣を、前記収納領域部から出して前記非反転搬送経路部を搬送させるとともに、前記第４の向きと識別された紙幣を、前記収納領域部から出して前記反転搬送経路部を搬送させることにより、前記第２の紙幣の束の紙幣の表裏および天地の向きを揃えるような構成とされ得る。
【００１６】
上記の構成によれば、収納領域部に収納された紙幣が出金部に投出される際に、その紙幣が非反転搬送経路部または反転搬送経路部を搬送されることにより、出金部に投出された第１の紙幣の束および第２の紙幣の束を、表裏および天地の向きが揃ったものにすることができる。
【００１７】
本態様に係る紙幣処理装置において、前記搬送部は、前記出金部の手前において、搬送された紙幣を前記出金部に第１の方向から投出する第１出金搬送路と、搬送された紙幣を前記出金部に前記第１の方向と相反する第２の方向から投出する第２出金搬送路にと分岐されるような構成とされ得る。この場合、前記第１の搬送経路部は、その経路に前記第１出金搬送路を含み、前記第２の搬送経路部は、その経路に前記第２出金搬送路を含む。前記出金部では、前記第１の紙幣の束および前記第２の紙幣の束が、それらの表裏および天地の向きが揃う状態で保持される。
【００１８】
上記の構成とされた場合、さらに、前記制御部は、前記収納領域部に収納された紙幣を前記出金部に投出させるとき、前記第１の向きと識別された紙幣を、前記収納領域部から出して前記第１出金搬送路を搬送させるとともに、前記第２の向きと識別された紙幣を、前記収納領域部から出して前記第２出金搬送路を搬送させることにより、前記第１の紙幣の束の紙幣の表裏および天地の向きを揃え、前記第３の向きと識別された紙幣を、前記収納領域部から出して前記第１出金搬送路を搬送させるとともに、前記第４の向きと識別された紙幣を、前記収納領域部から出して前記第２出金搬送路を搬送させることにより、前記第２の紙幣の束の紙幣の表裏および天地の向きを揃えるような構成とされ得る。
【００１９】
上記の構成によれば、収納領域部に収納された紙幣が出金部に投出される際に、その紙幣が第１出金搬送路または第２出金搬送路を搬送されることにより、出金部に投出された第１の紙幣の束および第２の紙幣の束を、表裏および天地の向きが揃ったものにすることができる。
【００２０】
これらの構成とされた場合、さらに、前記制御部は、前記入金部から紙幣を前記搬送部により前記収納領域部に収納させるとき、紙幣の向きを前記識別部に識別させ、前記識別部による識別の結果、前記収納領域部において、前記第１の向きと識別された紙幣と、前記第２の向きと識別された紙幣と、前記第３の向きと識別された紙幣と、前記第４の向きと識別された紙幣とを分けて収納するような構成とされ得る。
【００２１】
このような構成とされれば、収納領域部に収納された紙幣を出金部に投出する際、再度、識別部で紙幣の向きを識別することなく、紙幣の表裏および天地の向きを揃えることができる。
【００２２】
上記のように前記第１の搬送経路部が非反転搬送経路部であり、前記第２の搬送経路部が反転搬送経路部であるような構成とされた場合、さらに、前記制御部は、前記入金部に投入された紙幣を前記収納領域部に収納させるとき、前記入金部から出された紙幣の向きを前記識別部に識別させ、前記第１の向きと識別された紙幣を、前記非反転搬送経路部を搬送させるとともに、前記第２の向きと識別された紙幣を、前記反転搬送経路部を搬送させることにより、前記第１の紙幣の束の紙幣の表裏および天地の向きを揃え、前記第３の向きと識別された紙幣を、前記非反転搬送経路部を搬送させるとともに、前記第４の向きと識別された紙幣を、前記反転搬送経路部を搬送させることにより、前記第２の紙幣の束の紙幣の表裏および天地の向きを揃え、前記収納領域部において、前記第１の紙幣の束と、前記第２の紙幣の束とを分けて収納するような構成とされ得る。
【００２３】
上記の構成によれば、入金部に投入された紙幣が収納領域部に収納される際にその紙幣が非反転搬送経路部または反転搬送経路部を搬送されることにより、表裏および天地の向きが揃った第１の紙幣の束および第２の紙幣の束を生成することができる。このため、収納領域部において、紙幣は第１の紙幣の束と第２の紙幣の束の２つに分けて収納されればよく、紙幣を多くの束に分けなくて済む。
【００２４】
本発明の第２の態様は、紙幣処理装置における紙幣の処理方法に関する。本態様に係る紙幣の処理方法は、紙幣の向きが、表裏および天地の向きがそれぞれ異なる第１の向き、第２の向き、第３の向きおよび第４の向きの何れであるかを識別部により識別するステップと、前記第１の向きと識別された紙幣と前記第２の向きと識別された紙幣とが、それぞれ、経路の異なる第１の搬送経路部と第２の搬送経路部とを搬送されることにより表裏および天地の向きが揃った第１の紙幣の束を出金部に投出させるステップと、前記出金部内へ前記第１の紙幣の束が投出された後に、前記第３の向きと識別された紙幣と前記第４の向きと識別された紙幣とが、それぞれ、前記第１の搬送経路部と前記第２の搬送経路部とを搬送されることにより表裏および天地の向きが揃った、前記第１の紙幣の束とは紙幣の向きが異なる第２の紙幣の束を前記出金部に投出させるステップと、を含む。
【００２５】
上記の処理方法によれば、第１の態様に係る紙幣処理装置と同様の効果を奏することができる。
【発明の効果】
【００２６】
本発明によれば、複数の場所への払い出しを行うことなく、払い出された紙幣の表裏および天地の向きを係員が容易に揃えることができる。
【００２７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２８】
【図１】図１（ａ）は、第１実施形態に係る、貨幣入出金機の構成を示す概略図であり、図１（ｂ）は、第１実施形態に係る、出金部に設けられた紙幣検出部の構成を示す図である。
【図２】図２（ａ）は、第１実施形態に係る、搬送部を流れる紙幣の状態を示す図であり、図２（ｂ）は、第１実施形態に係る、反転部による紙幣の表裏反転について説明するための図である。
【図３】図３は、第１実施形態に係る、貨幣入出金機の主たる構成を示すブロック図である。
【図４】図４は、第１実施形態に係る、計数整理処理の制御動作を示すフローチャートである。
【図５】図５は、第１実施形態に係る、計数整理処理の制御動作を示すフローチャートである。
【図６】図６（ａ）は、第１実施形態に係る、入金部の紙幣が、表裏および天地の向きに応じて４つの一時保留部に分かれて収納されるまでの流れを示す図であり、図６（ｂ）は、第１実施形態に係る、４つの一時保留部に収納された紙幣の状態（向き）を示す図である。
【図７】図７（ａ）は、第１実施形態に係る、第３スタッカ用一時保留部の紙幣が出金部に投出されるまでの流れを示す図であり、図７（ｂ）は、第１実施形態に係る、第２スタッカ用一時保留部の紙幣が出金部に投出されるまでの流れを示す図である。
【図８】図８（ａ）は、第１実施形態に係る、第１スタッカ用一時保留部の紙幣が出金部に投出されるまでの流れを示す図であり、図８（ｂ）は、第１実施形態に係る、第２カセット用一時保留部の紙幣が出金部に投出されるまでの流れを示す図である。
【図９】図９は、第１実施形態に係る、操作表示部に表示される抜き取り催促画面の一例を示す図である。
【図１０】図１０は、第２実施形態に係る、紙幣処理機の外観を示す斜視図である。
【図１１】図１１（ａ）は、第２実施形態に係る、バラ紙幣処理ユニットの構成を示す概略図であり、図１１（ｂ）は、第２実施形態に係る、出金部に設けられた紙幣検出部の構成を示す図である。
【図１２】図１２は、第２実施形態に係る、束紙幣処理ユニットの構成を示す概略図である。
【図１３】図１３は、第２実施形態に係る、紙幣処理機の主たる構成を示すブロック図である。
【図１４】図１４は、第２実施形態に係る、計数整理処理の制御動作を示すフローチャートである。
【図１５】図１５は、第２実施形態に係る、計数整理処理の制御動作を示すフローチャートである。
【図１６】図１６（ａ）は、第２実施形態に係る、入金部から繰り出され天表向きと識別された紙幣が第１一時保留部に収納されるまでの流れを示す図であり、図１６（ｂ）は、第２実施形態に係る、入金部から繰り出され地裏向きと識別された紙幣が第１一時保留部に収納されるまでの流れを示す図である。
【図１７】図１７（ａ）は、第２実施形態に係る、入金部から繰り出され地表向きと識別された紙幣が第２一時保留部に収納されるまでの流れを示す図であり、図１７（ｂ）は、第２実施形態に係る、入金部から繰り出され天裏向きと識別された紙幣が第２一時保留部に収納されるまでの流れを示す図である。
【図１８】図１８（ａ）は、第２実施形態に係る、第１一時保留部の紙幣が出金部に投出されるまでの流れを示す図であり、図１８（ｂ）は、第２実施形態に係る、第２一時保留部の紙幣が出金部に投出されるまでの流れを示す図である。
【図１９】図１９（ａ）および（ｂ）は、変更例１に係る、第２スタッカ用一時保留部の紙幣が出金部に投出されるまでの流れを示す図である。
【図２０】図２０（ａ）および（ｂ）は、変更例１に係る、第２カセット用一時保留部の紙幣が出金部に投出されるまでの流れを示す図である。
【図２１】図２１（ａ）および（ｂ）は、変更例１に係る、計数整理処理の制御動作を示すフローチャートである。
【図２２】図２２は、変更例２に係る、出金処理の制御動作を示すフローチャートである。
【図２３】図２３は、変更例２に係る、出金処理の制御動作を示すフローチャートである。
【図２４】図２４（ａ）は、変更例２に係る、スタッカから繰り出され天表向きと識別された紙幣が、出金部に投出されるまでの流れを示す図であり、図２４（ｂ）は、変更例２に係る、スタッカから繰り出され地裏向きと識別された紙幣が、出金部に投出されるまでの流れを示す図である。
【図２５】図２５（ａ）は、変更例２に係る、スタッカから繰り出され地表向きと識別された紙幣が、第１カセット用一時保留部に収納されるまでの流れを示す図であり、図２５（ｂ）は、変更例２に係る、スタッカから繰り出され天裏向きと識別された紙幣が、第１カセット用一時保留部に収納されるまでの流れを示す図である。
【図２６】図２６は、変更例２に係る、第１カセット用一時保留部から繰り出された紙幣が、出金部に投出されるまでの流れを示す図である。
【図２７】図２７は、その他の変更例に係る、貨幣入出金機について説明するための図である。
【図２８】図２８は、その他の変更例に係る、貨幣入出金機について説明するための図である。
【図２９】図２９は、その他の変更例に係る、貨幣入出金機について説明するための図である。
【発明を実施するための形態】
【００２９】
以下、本発明の実施形態について、図面を参照して説明する。
【００３０】
＜第１実施形態＞
本発明の紙幣処理装置の一実施形態である貨幣入出金機１について説明する。
【００３１】
本実施形態において、操作表示部１５が、特許請求の範囲に記載の「報知部」に対応する。また、主収納領域部Ｒ１および一時保留領域部Ｒ２が、特許請求の範囲に記載の「収納領域部」に対応する。
【００３２】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
＜貨幣入出金機の構成＞
図１（ａ）は、第１実施形態に係る、貨幣入出金機１の構成を示す概略図であり、図１（ｂ）は、第１実施形態に係る、出金部１２０に設けられた紙幣検出部１２１の構成を示す図である。図２（ａ）は、第１実施形態に係る、搬送部１４０を流れる紙幣の状態を示す図であり、図２（ｂ）は、第１実施形態に係る、反転部１６１による紙幣の表裏反転について説明するための図である。
【００３３】
貨幣入出金機１は、銀行等の窓口カウンタの内側に設置され、貨幣の入出金業務を行うテラーにより使用される。
【００３４】
貨幣入出金機１は、外郭を構成する筐体１０内に、紙幣入出金ユニット１１と硬貨入出金ユニット１２とを備える。紙幣入出金ユニット１１は、筐体１０内の下側に設けられ、紙幣の入金処理、出金処理等を行う。硬貨入出金ユニット１２は、筐体１０内の上側に設けられ、硬貨の入金処理、出金処理等を行う。
【００３５】
紙幣入出金ユニット１１は、入金部１１０と、出金部１２０と、リジェクト部１３０と、搬送部１４０と、識別部１５０と、紙幣揃え部１６０と、２つのカセット１７０と、カセット１７０用の２つの一時保留部１８０と、３つのスタッカ１９０と、スタッカ１９０用の３つ一時保留部２００と、を備える。２つのカセット１７０と３つのスタッカ１９０は、紙幣を本格的に収納するための主収納領域部Ｒ１を構成する。また、５つの一時保留部１８０、２００は、紙幣を一時的に保留するための一時保留領域部Ｒ２を構成する。
【００３６】
入金部１１０、出金部１２０およびリジェクト部１３０は、筐体１０内の上部の正面近傍に設けられる。筐体１０の正面には、シャッターで開閉される入金口（図示せず）および出金口（図示せず）が設けられる。入金部１１０は入金口に繋がり、入金口を通じて入金部１１０にバラ紙幣が投入される。出金部１２０およびリジェクト部１３０は出金口に繋がり、出金口を通じて出金部１２０およびリジェクト部１３０からバラ紙幣が取り出される。
【００３７】
入金部１１０は、入金繰出機構１１１を備える。入金繰出機構１１１は、入金部１１０に投入されたバラ紙幣を一枚ずつ搬送部１４０へ繰り出す。出金部１２０は、主に、スタッカ１９０から繰り出された紙幣を受け取る。リジェクト部１３０は、主に、識別部１５０により属性（真偽、金種、天地表裏等）が識別できず、正常な紙幣と見做されない紙幣を受け取る。
【００３８】
図１（ｂ）に示すように、出金部１２０には、出金部１２０内の紙幣の有無を検出するための紙幣検出部１２１が設けられる。紙幣検出部１２１は、発光素子１２１ａと受光素子１２１ｂとを含む。出金部１２０には、発光素子１２１ａに対応する位置に、光を通すための孔部１２０ａが形成される。出金部１２０内に紙幣があると、発光素子１２１ａからの光が紙幣に遮られ、受光素子１２１ｂに到達しない。これにより、紙幣検出部１２１は、出金部１２０内に紙幣があることを検出する。一方、出金部１２０内に紙幣がないと、発光素子１２１ａからの光が出金部１２０内を通過し、受光素子１２１ｂに到達する。これにより、紙幣検出部１２１は、出金部１２０内に紙幣がないことを検出する。紙幣検出部１２１は紙幣の有無に応じた検出信号を後述する制御部に出力する。
【００３９】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、筐体１０内を前後方向に延びるようにループ状に形成され、図１（ａ）において、時計回り方向（実線矢印）と反時計回り方向（破線矢印）に紙幣を搬送することが可能である。
【００４０】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、カセット１７０および一時保留部１８０とメイン搬送路１４１との間に設けられる。スタッカ搬送路１４６は、スタッカ１９０および一時保留部２００とメイン搬送路１４１との間に設けられる。
【００４１】
長方形である紙幣は、その短手方向（天地方向）が、搬送方向を向くようにして搬送部１４０に搬送される。紙幣は、図２（ａ）に示す４通りの状態で搬送部１４０を流れ得る。本実施形態では、紙幣を入金部１１０からスタッカ１９０へ収納する入金時の搬送部１４０による搬送方向を「順搬送方向」と定義し、紙幣をスタッカ１９０から出金部１２０へ投出する出金時の搬送部１４０による搬送方向を「逆搬送方向」と定義する。そして、識別部１５０の位置において搬送部１４０を流れる紙幣を上方からみたときに、紙幣に描かれた肖像の頭が向く天方向が順搬送方向を向き且つ表を向く紙幣の向きを「天表向き」と定義し、天方向が順搬送方向を向き且つ裏を向く紙幣の向きを「天裏向き」と定義し、天方向と反対の地方向が順搬送方向を向き且つ表を向く紙幣の向きを「地表向き」と定義し、地方向が順搬送方向を向き且つ裏を向く紙幣の向きを「地裏向き」と定義する。本実施形態において、天表向きが、特許請求の範囲の「第１の向き」に対応し、地裏向きが、特許請求の範囲の「第２の向き」に対応し、地表向きが、特許請求の範囲の「第３の向き」に対応し、天裏向きが、特許請求の範囲の「第４の向き」に対応する。なお、これらの対応関係は、後述する第２実施形態にもいても同様である。
【００４２】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽および金種、紙幣の表裏の向きの他、紙幣の天地の向きが含まれる。
【００４３】
紙幣揃え部１６０は、搬送部１４０を流れる紙幣の表裏を揃えるために設けられる。紙幣揃え部１６０は、識別部１５０の前方、即ち、識別部１５０よりも出金時の紙幣の流れの下流側に配置される。紙幣揃え部１６０は、メイン搬送路１４１の一部を構成する反転部１６１および非反転部１６２を含む。反転部１６１は、スイッチバック方式により紙幣を表裏反転させる反転機構を含む。反転部１６１を通過した紙幣は、図２（ｂ）に示すように、紙幣の短手方向、即ち天地方向に沿って表裏反転し、表裏および天地の向きが入れ替わる。非反転部１６２は、反転部１６１とほぼ同じ経路長を有し、紙幣を現状の向きのまま通過させる。
【００４４】
２つのカセット１７０と３つのスタッカ１９０は、筐体１０内において、搬送部１４０の下方に、前後に並ぶように設けられる。２つのカセット１７０が３つのスタッカ１９０の前方に設けられる。
【００４５】
カセット１７０は、筐体１０から着脱可能であり、筐体１０の前面下部に設けられたドア（図示せず）を開放することにより、筐体１０の内部に出し入れすることができる。カセット１７０は、主に、スタッカ１９０から回収された紙幣やスタッカ１９０へ補充される紙幣を収納するために利用される。また、カセット１７０は、スタッカ１９０内の紙幣の自動精査を行う自動精査処理の際、紙幣を一時的に収納するために利用される。一方のカセット１７０を、２千円券、旧券、損券等の収納に利用することもできる。
【００４６】
カセット１７０内には、紙幣が上下に積まれるように収納される。収納された紙幣を昇降するため、カセット１７０内に昇降ステージ１７０ａが設けられる。なお、前側のカセット１７０が第１カセット１７１となり、後側のカセット１７０が第２カセット１７２となる。
【００４７】
カセット１７０用の一時保留部１８０は、対応するカセット１７０の上方に配置される。一時保留部１８０は、カセット１７０に収納される紙幣を一時的に保留（収納）する。一時保留部１８０の出入口側には繰出機構（図示せず）が設けられ、カセット１７０内の紙幣を、一時保留部１８０を通じてカセット搬送路１４５に繰り出すことができる。なお、前側の一時保留部１８０が、第１カセット用一時保留部１８１となり、後側の一時保留部１８０が、第２カセット用一時保留部１８２となる。
【００４８】
スタッカ１９０は、入金された紙幣を金種別に収納するために利用される。たとえば、３つのスタッカ１９０のそれぞれに対し、一万円、千円および５千円の金種が割り当てられ得る。スタッカ１９０内には、紙幣が上下に積まれるように収納される。収納された紙幣を昇降するため、スタッカ１９０内に昇降ステージ１９０ａが設けられる。なお、一番前のスタッカ１９０が第１スタッカ１９１となり、中央のスタッカ１９０が第２スタッカ１９２となり、一番後ろのスタッカ１９０が第３スタッカ１９３となる。
【００４９】
スタッカ１９０用の一時保留部２００は、対応するスタッカ１９０の上方に配置される。一時保留部２００は、スタッカ１９０に収納される紙幣を一時的に保留（収納）する。一時保留部２００の出入口側には繰出機構（図示せず）が設けられ、スタッカ１９０内の紙幣を、一時保留部２００を通じてスタッカ搬送路１４６に繰り出すことができる。なお、一番前の一時保留部２００が第１スタッカ用一時保留部２０１となり、中央の一時保留部２００が第２スタッカ用一時保留部２０２となり、一番後ろの一時保留部２００が第３スタッカ用一時保留部２０３となる。
【００５０】
図３は、第１実施形態に係る、貨幣入出金機１の主たる構成を示すブロック図である。
【００５１】
貨幣入出金機１は、上述した紙幣入出金ユニット１１および硬貨入出金ユニット１２の他、制御部１３、記憶部１４および操作表示部１５を備える。
【００５２】
制御部１３は、ＣＰＵ（Central Processing Unit）等の演算回路を備え、記憶部１４に記憶された動作プログラムに従って、操作表示部１５、紙幣入出金ユニット１１の各構成部（入金繰出機構１１１、紙幣検出部１２１、搬送部１４０、識別部１５０、紙幣揃え部１６０、カセット１７０、一時保留部１８０、スタッカ１９０、一時保留部２００等）および硬貨入出金ユニット１２の各構成部を制御する。記憶部１４は、ＲＯＭ（Read Only Memory）、ＲＡＭ（Random Access Memory）やハードディスク等の記憶媒体を備え、制御部１３の動作プログラムを記憶し、また、制御部１３の制御処理の際にワーク領域として利用される。
【００５３】
操作表示部１５は、ディスプレイとタッチセンサとからなるタッチパネルで構成される。操作表示部１５は、ディスプレイに各種の画像（画面）を表示するとともに、ディスプレイに対するユーザのタッチ操作をタッチセンサにより検出する。操作表示部１５は、たとえば、筐体１０の上面の前端部に設けられる。
【００５４】
＜計数整理処理＞
次に、貨幣入出金機１により行われる計数整理処理について、図４ないし図９を参照して説明する。計数整理処理は、表裏および天地の向きが揃っていない所定金種の複数枚の紙幣（バラ紙幣）を、表裏および天地の向きが揃った所定の整理枚数（たとえば、１００枚）の束とするために行われる処理である。
【００５５】
図４および図５は、第１実施形態に係る、計数整理処理の制御動作を示すフローチャートである。図６（ａ）は、第１実施形態に係る、入金部１１０の紙幣が、表裏および天地の向きに応じて４つの一時保留部１８２、２０１、２０２、２０３に分かれて収納されるまでの流れを示す図であり、図６（ｂ）は、第１実施形態に係る、４つの一時保留部１８２、２０１、２０２、２０３に収納された紙幣の状態（向き）を示す図である。図７（ａ）は、第１実施形態に係る、第３スタッカ用一時保留部２０３の紙幣が出金部１２０に投出されるまでの流れを示す図であり、図７（ｂ）は、第１実施形態に係る、第２スタッカ用一時保留部２０２の紙幣が出金部１２０に投出されるまでの流れを示す図である。図８（ａ）は、第１実施形態に係る、第１スタッカ用一時保留部２０１の紙幣が出金部１２０に投出されるまでの流れを示す図であり、図８（ｂ）は、第１実施形態に係る、第２カセット用一時保留部１８２の紙幣が出金部１２０に投出されるまでの流れを示す図である。図９は、第１実施形態に係る、操作表示部１５に表示される抜き取り催促画面Ｓ１の一例を示す図である。
【００５６】
係員（テラー）により、整理する紙幣が入金部１１０に投入された後、計数整理処理のための操作が行われると、計数整理処理が開始される。
【００５７】
図４および図５を参照して、制御部１３は、入金部１１０から一枚ずつ紙幣を繰り出させて搬送部１４０に搬送させ（Ｓ１０１）、搬送部１４０を流れる紙幣の属性（金種、表裏の向き、天地の向き等）を識別部１５０により識別する（Ｓ１０２）。制御部１３の内部には、紙幣の枚数をカウントするためのカウンタが備えられる。制御部１３は、紙幣の属性を識別すると、カウンタのカウント値を１つアップする（Ｓ１０３）。なお、制御部１３は、紙幣の属性を識別した結果、正常でないと識別された紙幣を、カウンタでカウントせずに、リジェクト部１３０に返却する。
【００５８】
次に、制御部１３は、識別部１５０での識別結果に基づいて、紙幣の向きが、天表向き、地裏向き、地表向きおよび天裏向きの何れであるかを判定する（Ｓ１０４）。
【００５９】
紙幣の向きが天表向きである場合（Ｓ１０４：天表向き）、制御部１３は、搬送部１４０により、その紙幣を第３スタッカ用一時保留部２０３に収納させる（Ｓ１０５）。紙幣の向きが地裏向きである場合（Ｓ１０４：地裏向き）、制御部１３は、搬送部１４０により、その紙幣を第２スタッカ用一時保留部２０２に収納させる（Ｓ１０６）。紙幣の向きが地表向きである場合（Ｓ１０４：地表向き）、制御部１３は、搬送部１４０により、その紙幣を第１スタッカ用一時保留部２０１に収納させる（Ｓ１０７）。紙幣の向きが天裏向きである場合（Ｓ１０４：天裏向き）、制御部１３は、搬送部１４０により、その紙幣を第２カセット用一時保留部１８２に収納させる（Ｓ１０８）。
【００６０】
制御部１３は、４つの一時保留部１８２、２０１、２０２、２０３に収納した合計の紙幣の枚数が整理枚数に達したか否か、および、入金部１１０から全ての紙幣が繰り出されたか否かを判定する（Ｓ１０９、Ｓ１１０）。通常、入金部１１０には、整理枚数より多くの枚数の紙幣が投入される。よって、最初のうちは全ての紙幣が繰り出される前に整理枚数に到達する。そして、最後に整理枚数に満たない紙幣が残り、それらの紙幣が繰り出された場合には、整理枚数に到達する前に全ての紙幣が繰り出される。紙幣の枚数が整理枚数に達すると（Ｓ１０９：ＹＥＳ）、制御部１３は、入金部１１０からの紙幣の繰り出しを停止する（Ｓ１１１）。
【００６１】
こうして、図６（ａ）に示すように、入金部１１０から繰り出された整理枚数分の紙幣は、搬送部１４０のうち、入金搬送路１４２と、メイン搬送路１４１と、カセット搬送路１４５と、スタッカ搬送路１４６とで構成される搬送経路部を搬送され、識別部１５０での識別された紙幣の向きに基づいて、第２カセット用一時保留部１８２、第１スタッカ用一時保留部２０１、第２スタッカ用一時保留部２０２および第３スタッカ用一時保留部２０３に分けられて収納される。本実施形態では、図６（ｂ）に示すように、第３スタッカ用一時保留部２０３に天表向きと識別された紙幣が収納され、第２スタッカ用一時保留部２０２に地裏向きと識別された紙幣が収納され、第１スタッカ用一時保留部２０１に地表向きと識別された紙幣が収納され、第２カセット用一時保留部１８２に天裏向きと識別された紙幣が収納される。
【００６２】
入金部１１０からの紙幣の繰り出しを停止すると（Ｓ１１１）、あるいは、入金部１１０から全ての紙幣が繰り出されると（Ｓ１１０：ＹＥＳ）、制御部１３は、第３スタッカ用一時保留部２０３内の紙幣を一枚ずつ繰り出し（Ｓ１１２）、繰り出した紙幣を、搬送部１４０に搬送させ、この際に反転部１６１に通さずに非反転部１６２に通して出金部１２０に投出させる（Ｓ１１３）。図７（ａ）に示すように、第３スタッカ用一時保留部２０３から繰り出された紙幣（天表向きと識別された紙幣）は、搬送部１４０のうち、スタッカ搬送路１４６（カセット搬送路１４５）、非反転部１６２を含むメイン搬送路１４１および出金搬送路１４３で構成される非反転搬送経路部Ｃ１１を搬送され、天表向きの状態で出金部１２０に投出される。
【００６３】
第３スタッカ用一時保留部２０３からの紙幣が全て出金部１２０に投出されると（Ｓ１１４：ＹＥＳ）、制御部１３は、第２スタッカ用一時保留部２０２内の紙幣を一枚ずつ繰り出し（Ｓ１１５）、繰り出した紙幣を、搬送部１４０に搬送させ、この際に反転部１６１に通してその表裏の向きを反転させた後に出金部１２０に投出させる（Ｓ１１６、Ｓ１１７）。図７（ｂ）に示すように、第２スタッカ用一時保留部２０２から繰り出された紙幣（地裏向きと識別された紙幣）は、搬送部１４０のうち、スタッカ搬送路１４６（カセット搬送路１４５）、反転部１６１を含むメイン搬送路１４１および出金搬送路１４３で構成される反転搬送経路部Ｃ１２を搬送され、反転部１６１で天表向きの状態に変えられて出金部１２０に投出される。
【００６４】
こうして、非反転搬送経路部Ｃ１１または反転搬送経路部Ｃ１２を搬送されることにより天表向きの状態に表裏および天地の向きが揃えられた紙幣の束が出金部１２０に払い出される。なお、この紙幣の束が、特許請求の範囲の「第１の紙幣の束」に対応する。
【００６５】
第２スタッカ用一時保留部２０２からの紙幣が全て出金部１２０に投出されると（Ｓ１１８：ＹＥＳ）、制御部１３は、出金部１２０からの紙幣の抜き取りを促す報知として、操作表示部１５に抜き取り催促画面Ｓ１を表示させる（Ｓ１１９）。図９に示すように、抜き取り催促画面Ｓ１は、紙幣の抜き取りを促すメッセージが含まれる。なお、制御部１３は、スピーカ（図示せず）から紙幣の抜き取りを促すための音声やアラームを出力させてもよい。
【００６６】
報知を受けた係員は、出金部１２０から天表紙幣の束を抜き取り、一時的に保管する。
【００６７】
次に、制御部１３は、出金部１２０から紙幣が抜き取られたか否かを判定する（Ｓ１２０）。制御部１３は、紙幣検出部１２１から紙幣がないとの検出結果が出力されると、紙幣が抜き取られたと判定する。
【００６８】
出金部１２０から紙幣が抜き取られると（Ｓ１２０：ＹＥＳ）、制御部１３は、第１スタッカ用一時保留部２０１内の紙幣を一枚ずつ繰り出し（Ｓ１２１）、繰り出した紙幣を、搬送部１４０に搬送させ、この際に反転部１６１に通さずに非反転部１６２に通して出金部１２０に投出させる（Ｓ１２２）。図８（ａ）に示すように、第１スタッカ用一時保留部２０１から繰り出された紙幣（地表向きと識別された紙幣）は、非反転搬送経路部Ｃ１１を搬送され、地表向きの状態で出金部１２０に投出される。
【００６９】
第１スタッカ用一時保留部２０１からの紙幣が全て出金部１２０に投出されると（Ｓ１２３：ＹＥＳ）、制御部１３は、第２カセット用一時保留部１８２内の紙幣を一枚ずつ繰り出し（Ｓ１２４）、繰り出した紙幣を、搬送部１４０に搬送させ、この際に反転部１６１に通してその表裏の向きを反転させた後に出金部１２０に投出させる（Ｓ１２５、Ｓ１２６）。図８（ｂ）に示すように、第２カセット用一時保留部１８２から繰り出された紙幣（天裏向きと識別された紙幣）は、反転搬送経路部Ｃ１２を搬送され、反転部１６１で地表向きの状態に変えられて出金部１２０に投出される。
【００７０】
こうして、非反転搬送経路部Ｃ１１または反転搬送経路部Ｃ１２を搬送されることにより地表向きの状態に表裏および天地の向きが揃えられた紙幣の束が出金部１２０に払い出される。なお、この紙幣の束が、特許請求の範囲の「第２の紙幣の束」に対応する。
【００７１】
第２カセット用一時保留部１８２からの紙幣が全て出金部１２０に投出されると（Ｓ１２７：ＹＥＳ）、制御部１３は、出金部１２０からの紙幣の抜き取りを促す報知として、操作表示部１５に抜き取り催促画面Ｓ１を表示させる（Ｓ１２８）。
【００７２】
次に、制御部１３は、出金部１２０から紙幣が抜き取られたか否かを判定する（Ｓ１２９）。そして、出金部１２０から紙幣が抜き取られると（Ｓ１２９：ＹＥＳ）、制御部１３は、入金部１１０に紙幣が残っているか否かを判定する（Ｓ１３０）。入金部１１０に紙幣が残っていれば（Ｓ１３０：ＮＯ）、Ｓ１０１の処理に戻り、制御部１３は、Ｓ１０１からＳ１２９の処理を繰り返す。一方、入金部１１０に紙幣が残っていなければ（Ｓ１３０：ＹＥＳ）、制御部１３は、計数整理処理を終了する。
【００７３】
報知を受けた係員は、出金部１２０から地表向きの紙幣の束を抜き取り、天地の方向を反転させて天表向きの紙幣の束とし、保留しておいた天表向きの紙幣の束と重ね合せる。これにより、天表向きの状態に表裏および天地の向きが揃えられた整理枚数の紙幣の束が出来上がる。
【００７４】
なお、上記の例では、第３スタッカ用一時保留部２０３から繰り出された紙幣の表裏は反転させず、第２スタッカ用一時保留部２０２から繰り出された紙幣の表裏を反転させることにより、出金部１２０に投出される紙幣の表裏および天地の向きを揃えるようにしたが、第２スタッカ用一時保留部２０２から繰り出された紙幣の表裏は反転させず、第３スタッカ用一時保留部２０３から繰り出された紙幣の表裏を反転させることにより、出金部１２０に投出される紙幣の表裏および天地の向きを揃えるようにしてもよい。この場合、出金部１２０の紙幣は、地裏向きの状態に揃えられることになる。
【００７５】
同様に、上記の例では、第１スタッカ用一時保留部２０１から繰り出された紙幣の表裏は反転させず、第２カセット用一時保留部１８２から繰り出された紙幣の表裏を反転させることにより、出金部１２０に投出される紙幣の表裏および天地の向きを揃えるようにしたが、第２カセット用一時保留部１８２から繰り出された紙幣の表裏は反転させず、第１スタッカ用一時保留部２０１から繰り出された紙幣の表裏を反転させることにより、出金部１２０に投出される紙幣の表裏および天地の向きを揃えるようにしてもよい。この場合、出金部１２０の紙幣は、天裏向きの状態に揃えられることになる。
【００７６】
＜実施形態の効果＞
本実施形態によれば、以下の効果が奏され得る。
【００７７】
係員は、計数整理処理において、最初に出金部１２０に投出された紙幣の束と、次に出金部１２０に投出された紙幣の束との表裏および天地の向きを合わせるだけで、容易に表裏および天地の向きが揃った整理枚数の紙幣の束を得ることができる。
【００７８】
しかも、後に重ね合される２つの紙幣の束を、出金部１２０とリジェクト部１３０というような複数の場所ではなく、同じ出金部１２０に投出させることができ、貨幣入出金機１に不慣れな係員が困惑しにくい。
【００７９】
さらに、操作表示部１５により出金部１２０からの紙幣の抜き取りを促す報知が行われるので、係員は、円滑に出金部１２０から紙幣を抜き取ることができる。
【００８０】
さらに、一時保留領域部Ｒ２に収納された紙幣が出金部１２０に投出される際に、その紙幣が非反転搬送経路部Ｃ１１または反転搬送経路部Ｃ１２を搬送されることにより、出金部１２０に投出された紙幣の束を、表裏および天地の向きが揃ったものにすることができる。
【００８１】
さらに、入金部１１０から一時保留領域部Ｒ２内に紙幣を収納する際に、識別部１５０で紙幣の向きを識別し、その識別の結果に基づいて、一時保留領域部Ｒ２内において、紙幣を、天表向きと識別された紙幣、地裏向きと識別された紙幣、地表向きと識別された紙幣および天裏向きと識別された紙幣の４つに分けて収納するようにしたので、一時保留領域部Ｒ２に収納された紙幣を出金部１２０に投出する際、再度、識別部１５０で紙幣の向きを識別することなく、紙幣の表裏および天地の向きを揃えることができる。
【００８２】
なお、識別部１５０による識別結果に基づいて、一時保留領域部Ｒ２内において、反転搬送経路部Ｃ１２での表裏反転により表裏および天地の向きが揃えられる天表紙幣と地裏紙幣との組と地表紙幣と天裏紙幣との組の２組に分けて収納し、各組の紙幣を出金部１２０へ投出させる際に、再度、識別部１５０で紙幣の向きを識別して表裏反転の有無を決めるような構成が採られた場合には、たとえば、収納時の識別の際に表裏反転すべきと識別された紙幣（地裏向き、天裏向き）が、投出時の識別の際に紙幣の向きが不明であると識別されると、表裏反転されずに出金部１２０に投出されてしまい、出金部１２０に投出された紙幣の束に、向きの異なる紙幣が混ざり込んでしまう虞がある。
【００８３】
＜第２実施形態＞
本発明の紙幣処理装置の一実施形態である紙幣処理機２について説明する。
【００８４】
本実施形態において、操作表示部２５が、特許請求の範囲に記載の「報知部」に対応する。また、入金識別部３６０が、特許請求の範囲に記載の「識別部」に対応する。さらに、一時保留領域部Ｒ４が、特許請求の範囲に記載の「収納領域部」に対応する。
【００８５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
＜紙幣処理機の構成＞
図１０は、第２実施形態に係る、紙幣処理機２の外観を示す斜視図である。
【００８６】
紙幣処理機２は、バラ紙幣処理ユニット２１と束紙幣処理ユニット２２とが左右方向に連結されることに構成される。バラ紙幣処理ユニット２１は、バラ紙幣を入金する入金処理、バラ紙幣を出金する出金処理等を行う。束紙幣処理ユニット２２は、束紙幣を出金する出金処理等を行う。また、束紙幣処理ユニット２２は、バラ紙幣処理ユニット２１と共同して、バラ紙幣から束紙幣を生成する結束整理処理を行う。紙幣処理機２は、バラ硬貨および包装硬貨の入出金処理を行う硬貨処理機（図示せず）と組み合わされることが多く、この場合、出納システムが構成される。出納システムは、紙幣処理機２および硬貨処理機の他、これらの操作を集中して行うための操作端末を備え得る。
【００８７】
バラ紙幣処理ユニット２１には、バラ紙幣を出金するためのバラ紙幣出金口２１ａとバラ紙幣を入金するためのバラ紙幣入金口２１ｂが設けられる。また、束紙幣処理ユニット２２には、束紙幣を入金または出金するための束紙幣入出金口２２ａと束紙幣を投出するための束紙幣投出口２２ｂが設けられる。
【００８８】
図１１（ａ）は、第２実施形態に係る、バラ紙幣処理ユニット２１の構成を示す概略図であり、図１１（ｂ）は、第２実施形態に係る、出金部３３０に設けられた紙幣検出部３３１の構成を示す図である。
【００８９】
バラ紙幣処理ユニット２１は、入金部３１０と、入金リジェクト部３２０と、出金部３３０と、出金リジェクト部３４０と、搬送部３５０と、入金識別部３６０と、出金識別部３７０と、紙幣揃え部３８０と、５つのスタッカ３９０と、５つの一時保留部４００と、２つの整理一時保留部４１０と、搬送機構４２０と、を備える。５つのスタッカ３９０は、紙幣を本格的に収納するための主収納領域部Ｒ３を構成する。５つの一時保留部４００は、紙幣を一時的に保留するための一時保留領域部Ｒ４を構成する。
【００９０】
入金部３１０は、バラ紙幣入金口２１ｂに繋がり、バラ紙幣入金口２１ｂを通じて入金部３１０にバラ紙幣が投入される。入金部３１０は、入金繰出機構３１１を備える。入金繰出機構３１１は、入金部３１０に投入されたバラ紙幣を一枚ずつ搬送部３５０へ繰り出す。入金リジェクト部３２０は、主に、入金識別部３６０により属性（真偽、金種、天地表裏等）が識別できず、正常な紙幣と見做されない紙幣を受け取る。入金リジェクト部３２０は、バラ紙幣入金口２１ｂに繋がり、バラ紙幣入金口２１ｂを通じて入金リジェクト部３２０からバラ紙幣が取り出される。
【００９１】
出金部３３０は、主に、スタッカ３９０から繰り出された紙幣を受け取る。出金部３３０は、バラ紙幣出金口２１ａに繋がり、バラ紙幣出金口２１ａを通じて出金部３３０からバラ紙幣が取り出される。出金リジェクト部３４０は、主に、出金識別部３７０により属性（真偽、金種、天地表裏等）が識別できず、正常な紙幣と見做されない紙幣を受け取る。
【００９２】
図１１（ｂ）に示すように、出金部３３０には、出金部３３０内の紙幣の有無を検出するための紙幣検出部３３１が設けられる。紙幣検出部３３１は、発光素子３３１ａと受光素子３３１ｂとを含む。出金部３３０には、発光素子３３１ａに対応する位置に、光を通すための孔部３３０ａが形成される。出金部３３０内に紙幣があると、発光素子３３１ａからの光が紙幣に遮られ、受光素子３３１ｂに到達しない。これにより、紙幣検出部３３１は、出金部３３０内に紙幣があることを検出する。一方、出金部３３０内に紙幣がないと、発光素子３３１ａからの光が出金部３３０内を通過し、受光素子３３１ｂに到達する。これにより、紙幣検出部３３１は、出金部３３０内に紙幣がないことを検出する。紙幣検出部３３１は紙幣の有無に応じた検出信号を後述する制御部に出力する。
【００９３】
搬送部３５０は、ベルト機構、ローラー機構等により構成され、メイン搬送路３５１と、入金搬送路３５２と、入金リジェクト搬送路３５３と、５つのスタッカ搬送路３５４と、第１出金搬送路３５５と、第２出金搬送路３５６と、出金リジェクト搬送路３５７と、２つの分岐搬送路３５８とを含む。メイン搬送路３５１は、バラ紙幣処理ユニット２１の内部において、前後方向に延びるようにループ状に形成され、図１１（ａ）において、反時計回り方向に紙幣を搬送することが可能である。
【００９４】
入金搬送路３５２は、入金部３１０とメイン搬送路３５１との間に設けられる。入金リジェクト搬送路３５３は、入金リジェクト部３２０とメイン搬送路３５１との間に設けられる。スタッカ搬送路３５４は、スタッカ３９０および一時保留部４００とメイン搬送路３５１との間に設けられる。第１出金搬送路３５５は、スタッカ３９０の出口とメイン搬送路３５１との間に設けられる。第２出金搬送路３５６は、メイン搬送路３５１と出金部３３０との間に設けられる。出金リジェクト搬送路３５７は、第２出金搬送路３５６から分岐し、出金リジェクト部３４０に繋がる。分岐搬送路３５８は、第２出金搬送路３５６から分岐し、整理一時保留部４１０に繋がる。
【００９５】
長方形である紙幣は、その短手方向（天地方向）が、搬送方向を向くようにして搬送部３５０に搬送される。本実施形態では、紙幣を入金部３１０からスタッカ３９０へ収納する入金時の搬送部３５０による搬送方向も、スタッカ３９０から出金部３３０へ投出する出金時の搬送部３５０による搬送方向も同じ方向であり、この方向を「順搬送方向」とする。
【００９６】
入金識別部３６０は、入金搬送路３５２に設けられる。入金識別部３６０は、入金搬送路３５２を流れる紙幣の属性を識別し、識別結果を後述する制御部に出力する。出金識別部３７０は、第１出金搬送路３５５に設けられる。出金識別部３７０は、第１出金搬送路３５５を流れる紙幣の属性を識別し、識別結果を後述する制御部に出力する。入金識別部３６０および出金識別部３７０により識別される属性には、紙幣の真偽および金種、紙幣の表裏の向き他、紙幣の天地の向きが含まれる。
【００９７】
紙幣揃え部３８０は、メイン搬送路３５１を流れる紙幣の表裏を揃えるために設けられる。紙幣揃え部３８０は、メイン搬送路３５１における、入金搬送路３５２の合流地点よりも下流側に配置される。紙幣揃え部３８０は、メイン搬送路３５１の一部を構成する反転部３８１および非反転部３８２を含む。反転部３８１は、スイッチバック方式により紙幣を表裏反転させる反転搬送路を含む。反転部３８１を通過した紙幣は、第１実施形態の反転部１６１の場合と同様に、紙幣の短手方向、即ち天地方向に沿って表裏反転し、表裏および天地の向きが入れ替わる（図２（ｂ）参照）。非反転部３８２は、反転部３８１とほぼ同じ経路長を有し、紙幣を現状の向きのまま通過させる。
【００９８】
スタッカ３９０は、入金された紙幣を金種別に収納するために利用される。たとえば、５つのスタッカ３９０のそれぞれに対し、一万円、千円、５千円等の金種が割り当てられ得る。スタッカ３９０内には、紙幣が上下に積まれるように収納される。スタッカ３９０には、その天面に紙幣の入口が形成され、その底面に紙幣の出口が形成される。スタッカ３９０には、その底面側に繰出機構（図示せず）が設けられ、スタッカ３９０内の紙幣を第１出金搬送路３５５に繰り出すことができる。なお、５つのスタッカ３９０は、前側から順に、第１スタッカ３９１、第２スタッカ３９２、第３スタッカ３９３、第４スタッカ３９４、第５スタッカ３９５となる。
【００９９】
一時保留部４００は、対応するスタッカ３９０の上方に配置される。一時保留部４００は、スタッカ３９０に収納される紙幣を一時的に保留（収納）する。一時保留部４００の出入口側には繰出機構（図示せず）が設けられ、一時保留部４００内の紙幣を、スタッカ搬送路３５４に繰り出すことができる。なお、５つの一時保留部４００は、前側から順に、第１一時保留部４０１、第２一時保留部４０２、第３一時保留部４０３、第４一時保留部４０４、第５一時保留部４０５となる。
【０１００】
整理一時保留部４１０は、搬送部３５０により搬送された紙幣を、帯封により結束される結束単位となる所定の枚数（以下、「結束枚数」という）、たとえば、１００枚となるまで集積する。搬送機構４２０は、一対のアーム４２１を備え、結束単位にまとまったバラ紙幣を、一対のアーム４２１で挟んで整理一時保留部４１０内から取り出し、隣接する束紙幣処理ユニット２２の後述する帯封機構まで搬送する。なお、搬送機構４２０は、バラ紙幣処理ユニット２１と束紙幣処理ユニット２２との双方に属し、これら処理ユニット２１、２２の後部に配置される。
【０１０１】
図１２は、第２実施形態に係る、束紙幣処理ユニット２２の構成を示す概略図である。
【０１０２】
束紙幣処理ユニット２２は、帯封機構５１０と、第１搬送機構５２０と、昇降機構５３０と、第２搬送機構５４０と、５つのスタッカ５５０と、を備える。
【０１０３】
帯封機構５１０は、搬送機構４２０の前方に設けられ、搬送機構４２０によって搬送されてきたバラ紙幣の束を帯封で結束し、束紙幣（帯封紙幣）を生成する。
【０１０４】
第１搬送機構５２０は、帯封機構５１０の前方に設けられる、前後方向に延びる上下一対のベルトユニット５２１を有する。ベルトユニット５２１は、前後に離れて配置された一対のローラー５２２と、一対のローラー５２２に架け渡されたベルト５２３とを含む。第１搬送機構５２０は、２つのベルトユニット５２１の間に束紙幣を挟むようにして、前方の昇降機構５３０へ束紙幣を搬送する。
【０１０５】
昇降機構５３０は、束紙幣処理ユニット２２の前面に沿うように上下に延びる昇降スペース５３１と、昇降スペース５３１内を昇降するリフト５３２とを含む。昇降スペース５３１は、その上部において束紙幣入出金口２２ａに繋がり、その下部において束紙幣投出口２２ｂに繋がる。リフト５３２は、束紙幣投出口２２ｂの位置を待機位置とし、この待機位置と第１搬送機構５２０および束紙幣入出金口２２ａがある上限位置との間を昇降する。
【０１０６】
リフト５３２は、水平方向に平坦なベース５３２ａと、ベース５３２ａ上に積層された載置板５３２ｂとを備える。載置板５３２ｂは、ベース５３２ａに平行な平行位置と、後側が高くなるようにベース５３２ａに対して傾く傾斜位置との間で回動可能である。束紙幣を載せたリフト５３２が待機位置にあるときに載置板５３２ｂが傾斜位置に回動すると、束紙幣が載置板５３２ｂから滑り落ちて束紙幣投出口２２ｂから投出される。また、リフト５３２は、第１搬送機構５２０から束紙幣を受け取り、受け取った束紙幣を第２搬送機構５４０まで搬送する。さらに、リフト５３２は、第２搬送機構５４０から束紙幣を受け取り、受け取った束紙幣を束紙幣入出金口２２ａや束紙幣投出口２２ｂの位置まで搬送する。
【０１０７】
第２搬送機構５４０は、前後に離れて配置された一対のローラー５４１と、一対のローラー５４１に架け渡されたベルト５４２と、ベルト５４２の下方に配置された前後に延びる束搬送路５４３とを含む。ベルト５４２は、図１２における時計回りと反時計回りの双方に周回することができる。ベルト５４２には、複数の突起５４４が等間隔で形成される。ベルト５４２の周回に伴って突起５４４が束搬送路５４３の上方を前後に移動することにより、突起５４４に押されて束搬送路５４３上を束紙幣が移動する。
【０１０８】
ベルト５４２の前端部は、昇降スペース５３１内に張り出す。第２搬送機構５４０には、前側のローラー５４１から少し後方に離れた位置に支点ローラー５４５が設けられており、ベルト５４２は、前側のローラー５４１と支点ローラー５４５との間の回動部５４２ａが、支点ローラー５４５を支点として、昇降スペース５３１内に進出する進出位置と昇降スペース５３１内から退避する退避位置との間で回動する。リフト５３２が第１搬送機構５２０側から降下するときには、回動部５４２ａが退避位置に退避するため、リフト５３２の降下が回動部５４２ａに邪魔されない。一方、リフト５３２が束搬送路５４３の高さ位置まで降下して停止すると、回動部５４２ａが進出位置に進出する。これにより、リフト５３２に載せられた束紙幣を束搬送路５４３へ移動させたり、束搬送路５４３を搬送された束紙幣をリフト５３２に載せたりすることが可能となる。
【０１０９】
スタッカ５５０は、帯封機構５１０により生成された束紙幣を金種別に収納するために利用される。たとえば、５つのスタッカ５５０のそれぞれに対し、一万円、千円、５千円等の金種が割り当てられ得る。スタッカ５５０内には、束紙幣が上下に積まれるように収納される。収納された束紙幣を昇降するため、スタッカ５５０内に昇降ステージ５５０ａが設けられる。
【０１１０】
束搬送路５４３には、各スタッカ５５０の上方にシャッター５４６により開閉される出入口５４３ａが設けられる。束搬送路５４３からスタッカ５５０へ束紙幣を収納する際やスタッカ５５０から束搬送路５４３へ束紙幣を送り出す際にシャッター５４６が開放され、出入口５４３ａが開く。出入口５４３ａを通じてスタッカ５５０に束紙幣が出し入れされる。
【０１１１】
図１３は、第２実施形態に係る、紙幣処理機２の主たる構成を示すブロック図である。
【０１１２】
紙幣処理機２は、上述したバラ紙幣処理ユニット２１および束紙幣処理ユニット２２の他、制御部２３、記憶部２４および操作表示部２５を備える。
【０１１３】
制御部２３は、ＣＰＵ等の演算回路を備え、記憶部２４に記憶された動作プログラムに従って、操作表示部２５、バラ紙幣処理ユニット２１の各構成部（入金繰出機構３１１、紙幣検出部３３１、搬送部３５０、入金識別部３６０、出金識別部３７０、紙幣揃え部３８０、スタッカ３９０、一時保留部４００、搬送機構４２０等）および束紙幣処理ユニット２２の各構成部（帯封機構５１０、第１搬送機構５２０、昇降機構５３０、第２搬送機構５４０、スタッカ５５０等）を制御する。記憶部２４は、ＲＯＭ、ＲＡＭやハードディスク等の記憶媒体を備え、制御部２３の動作プログラムを記憶し、また、制御部２３の制御処理の際にワーク領域として利用される。
【０１１４】
操作表示部２５は、ディスプレイとタッチセンサとからなるタッチパネルで構成される。操作表示部２５は、ディスプレイに各種の画像（画面）を表示するとともに、ディスプレイに対するユーザのタッチ操作をタッチセンサにより検出する。
【０１１５】
＜計数整理処理＞
次に、紙幣処理機２により行われる計数整理処理について、図１４ないし図１８（ｂ）を参照して説明する。
【０１１６】
図１４および図１５は、第２実施形態に係る、計数整理処理の制御動作を示すフローチャートである。図１６（ａ）は、第２実施形態に係る、入金部３１０から繰り出され天表向きと識別された紙幣が第１一時保留部４０１に収納されるまでの流れを示す図であり、図１６（ｂ）は、第２実施形態に係る、入金部３１０から繰り出され地裏向きと識別された紙幣が第１一時保留部４０１に収納されるまでの流れを示す図である。図１７（ａ）は、第２実施形態に係る、入金部３１０から繰り出され地表向きと識別された紙幣が第２一時保留部４０２に収納されるまでの流れを示す図であり、図１７（ｂ）は、第２実施形態に係る、入金部３１０から繰り出され天裏向きと識別された紙幣が第２一時保留部４０２に収納されるまでの流れを示す図である。図１８（ａ）は、第２実施形態に係る、第１一時保留部４０１の紙幣が出金部３３０に投出されるまでの流れを示す図であり、図１８（ｂ）は、第２実施形態に係る、第２一時保留部４０２の紙幣が出金部３３０に投出されるまでの流れを示す図である。
【０１１７】
係員（テラー）により、整理する紙幣が入金部３１０に投入された後、計数整理処理のための操作が行われると、計数整理処理が開始される。
【０１１８】
図１４および図１５を参照して、制御部２３は、入金部３１０から一枚ずつ紙幣を繰り出させて搬送部３５０に搬送させ（Ｓ２０１）、搬送部３５０を流れる紙幣の属性（金種、表裏の向き、天地の向き等）を入金識別部３６０により識別する（Ｓ２０２）。制御部２３の内部には、紙幣の枚数をカウントするためのカウンタが備えられる。制御部２３は、紙幣の属性を識別すると、カウンタのカウント値を１つアップする（Ｓ２０３）。なお、制御部２３は、紙幣の属性を識別した結果、正常でないと識別された紙幣を、カウンタでカウントせずに、入金リジェクト部３２０に返却する。
【０１１９】
次に、制御部２３は、入金識別部３６０での識別結果に基づいて、紙幣の向きが、天表向き、地裏向き、地表向きおよび天裏向きの何れであるかを判定する（Ｓ２０４）。
【０１２０】
紙幣の向きが天表向きである場合（Ｓ２０４：天表向き）、制御部２３は、その紙幣を反転部３８１に通さずに非反転部３８２に通して第１一時保留部４０１に収納させる（Ｓ２０５）。紙幣の向きが地裏向きである場合（Ｓ２０４：地裏向き）、制御部２３は、その紙幣を反転部３８１に通してその表裏の向きを反転させた後（Ｓ２０６）、第１一時保留部４０１に収納させる（Ｓ２０５）。紙幣の向きが地表向きである場合（Ｓ２０４：地表向き）、制御部２３は、その紙幣を反転部３８１に通さずに非反転部３８２に通して第２一時保留部４０２に収納させる（Ｓ２０７）。紙幣の向きが天裏向きである場合（Ｓ２０４：天裏向き）、制御部２３は、その紙幣を反転部３８１に通してその表裏の向きを反転させた後（Ｓ２０８）、第２一時保留部４０２に収納させる（Ｓ２０７）。
【０１２１】
制御部２３は、第１一時保留部４０１および第２一時保留部４０２に収納した合計の紙幣の枚数が整理枚数に達したか否か、および、入金部３１０から全ての紙幣が繰り出されたか否かを判定する（Ｓ２０９、Ｓ２１０）。紙幣の枚数が整理枚数に達すると（Ｓ２０９：ＹＥＳ）、制御部２３は、入金部３１０からの紙幣の繰り出しを停止する（Ｓ２１１）。
【０１２２】
こうして、図１６（ａ）に示すように、入金部３１０から繰り出され、入金識別部３６０で天表向きと識別された紙幣は、搬送部３５０のうち、入金搬送路３５２、非反転部３８２を含むメイン搬送路３５１およびスタッカ搬送路３５４で構成される非反転搬送経路部Ｃ２１を搬送され、第１一時保留部４０１に収納される。また、図１６（ｂ）に示すように、入金部３１０から繰り出され、入金識別部３６０で地裏向きと識別された紙幣は、搬送部３５０のうち、入金搬送路３５２、反転部３８１を含むメイン搬送路３５１およびスタッカ搬送路３５４で構成される反転搬送経路部Ｃ２２を搬送され、反転部３８１で表裏と天地の向きが変えられて第１一時保留部４０１に収納される。こうして、第１一時保留部４０１内の各紙幣は、その表裏および天地の向きが揃った状態となる。
【０１２３】
さらに、図１７（ａ）に示すように、入金部３１０から繰り出され、入金識別部３６０で地表向きと識別された紙幣は、非反転搬送経路部Ｃ２１を搬送され、第２一時保留部４０２に収納される。さらに、図１７（ｂ）に示すように、入金部３１０から繰り出され、入金識別部３６０で天裏向きと識別された紙幣は、反転搬送経路部Ｃ２２を搬送され、反転部３８１で表裏と天地の向きが変えられて第２一時保留部４０２に収納される。こうして、第２一時保留部４０２内の各紙幣は、その表裏および天地の向きが揃った状態となる。なお、第２一時保留部４０２内の紙幣の向きは、第１一時保留部４０１内の紙幣の向きとは異なる向きとなる。
【０１２４】
入金部３１０からの紙幣の繰り出しを停止すると（Ｓ２１１）、あるいは、入金部３１０から全ての紙幣が繰り出されると（Ｓ２１０：ＹＥＳ）、制御部２３は、第１一時保留部４０１内の紙幣を一枚ずつ繰り出し（Ｓ２１２）、繰り出した紙幣を搬送部３５０により出金部３３０に投出させる（Ｓ２１３）。図１８（ａ）に示すように、第１一時保留部４０１から繰り出された紙幣は、搬送部３５０のうち、スタッカ搬送路３５４、メイン搬送路３５１および第２出金搬送路３５６で構成される搬送経路部を搬送され、出金部３３０に投出される。こうして、表裏および天地の向きが揃えられた紙幣の束が出金部３３０に払い出される。なお、この紙幣の束が、特許請求の範囲の「第１の紙幣の束」に対応する。
【０１２５】
第１一時保留部４０１からの紙幣が全て出金部３３０に投出されると（Ｓ２１４：ＹＥＳ）、制御部２３は、出金部３３０からの紙幣の抜き取りを促す報知として、第１実施形態と同様の抜き取り催促画面Ｓ１（図９参照）を、操作表示部２５に表示させる（Ｓ２１５）。なお、制御部２３は、スピーカ（図示せず）から紙幣の抜き取りを促すための音声やアラームを出力させてもよい。
【０１２６】
報知を受けた係員は、出金部３３０から紙幣の束を抜き取り、一時的に保管する。
【０１２７】
次に、制御部２３は、出金部３３０から紙幣が抜き取られたか否かを判定する（Ｓ２１６）。制御部２３は、紙幣検出部３３１から紙幣がないとの検出結果が出力されると、紙幣が抜き取られたと判定する。
【０１２８】
出金部３３０から紙幣が抜き取られると（Ｓ２１６：ＹＥＳ）、制御部２３は、第２一時保留部４０２内の紙幣を一枚ずつ繰り出し（Ｓ２１７）、繰り出した紙幣を搬送部３５０により出金部３３０に投出させる（Ｓ２１８）。図１８（ｂ）に示すように、第２一時保留部４０２から繰り出された紙幣は、搬送部３５０のうち、スタッカ搬送路３５４、メイン搬送路３５１および第２出金搬送路３５６で構成される搬送経路部を搬送され、出金部３３０に投出される。こうして、先に出金部３３０に払い出された紙幣の束とは向きが異なるが、表裏および天地の向きが揃えられた紙幣の束が出金部３３０に払い出される。なお、この紙幣の束が、特許請求の範囲の「第２の紙幣の束」に対応する。
【０１２９】
第２一時保留部４０２からの紙幣が全て出金部３３０に投出されると（Ｓ２１９：ＹＥＳ）、制御部２３は、出金部３３０からの紙幣の抜き取りを促す報知として、操作表示部２５に抜き取り催促画面Ｓ１を表示させる（Ｓ２２０）。
【０１３０】
次に、制御部２３は、出金部３３０から紙幣が抜き取られたか否かを判定する（Ｓ２２１）。そして、出金部３３０から紙幣が抜き取られると（Ｓ２２１：ＹＥＳ）、制御部２３は、入金部３１０に紙幣が残っているか否かを判定する（Ｓ２２２）。入金部３１０に紙幣が残っていれば（Ｓ２２２：ＮＯ）、Ｓ２０１の処理に戻り、制御部２３は、Ｓ２０１からＳ２２１の処理を繰り返す。一方、入金部３１０に紙幣が残っていなければ（Ｓ２２２：ＹＥＳ）、制御部２３は、計数整理処理を終了する。
【０１３１】
報知を受けた係員は、出金部３３０から紙幣の束を抜き取り、天地の向きを反転させて、その向きを先に受け取った紙幣の束の向きと同じにし、先に受け取った紙幣の束と重ね合せる。これにより、表裏および天地の向きが揃えられた整理枚数の紙幣の束が出来上がる。
【０１３２】
なお、上記の例では、天表向きと識別された紙幣の表裏は反転させず、地裏向きと識別された紙幣の表裏を反転させることにより、第１一時保留部４０１に収納される紙幣の表裏と天地の向きを揃えるようにしたが、地裏向きと識別された紙幣の表裏は反転させず、天表向きと識別された紙幣の表裏を反転させることにより、第１一時保留部４０１に収納される紙幣の表裏と天地の向きを揃えるようにしてもよい。同様に、上記の例では、地表向きと識別された紙幣の表裏は反転させず、天裏向きと識別された紙幣の表裏を反転させることにより、第２一時保留部４０２に収納される紙幣の表裏と天地の向きを揃えるようにしたが、天裏向きと識別された紙幣の表裏は反転させず、地表向きと識別された紙幣の表裏を反転させることにより、第２一時保留部４０２に収納される紙幣の表裏と天地の向きを揃えるようにしてもよい。
【０１３３】
＜実施形態の効果＞
本実施形態によれば、以下の効果が奏され得る。
【０１３４】
係員は、計数整理処理において、最初に出金部３３０に投出された紙幣の束と、次に出金部３３０に投出された紙幣の束との表裏および天地の向きを合わせるだけで、容易に表裏および天地の向きが揃った整理枚数の紙幣の束を得ることができる。
【０１３５】
しかも、後に重ね合される２つの紙幣の束を、出金部３３０と出金リジェクト部３４０というような複数の場所ではなく、同じ出金部３３０に投出させることができ、紙幣処理機２に不慣れな係員が困惑しにくい。
【０１３６】
さらに、入金部３１０に投入された紙幣が一時保留領域部Ｒ４に収納される際にその紙幣が非反転搬送経路部Ｃ２１または反転搬送経路部Ｃ２２を搬送されることにより、表裏および天地の向きが揃った２種類の紙幣の束を生成することができるので、一時保留領域部Ｒ４において、紙幣の束を２つに分けて収納すればよく、多くの束に分けなくて済む。
【０１３７】
以上、本発明の第１実施形態および第２実施形態について説明したが、本発明は、上記実施形態によって何ら制限されるものではなく、また、本発明の実施形態も、上記以外に種々の変更が可能である。
【０１３８】
＜変更例１＞
上記第１実施形態では、第２スタッカ用一時保留部２０２から繰り出された紙幣（地裏向きと識別された紙幣）および第２カセット用一時保留部１８２から繰り出された紙幣（天裏向きと識別された紙幣）が、反転部１６１を含む反転搬送経路部Ｃ１２により搬送させることで紙幣の表裏を反転させるようにした。
【０１３９】
しかしながら、紙幣の表裏を反転させるために、以下に説明する、反転搬送経路部Ｃ１２とは異なる反転搬送経路部Ｃ１３が用いられてもよい。この場合、搬送部１４０に、非反転搬送経路部Ｃ１１と反転搬送経路部Ｃ１３とが含まれることになる。
【０１４０】
図１９（ａ）および（ｂ）は、変更例１に係る、第２スタッカ用一時保留部２０２の紙幣が出金部１２０に投出されるまでの流れを示す図である。図２０（ａ）および（ｂ）は、変更例１に係る、第２カセット用一時保留部１８２の紙幣が出金部１２０に投出されるまでの流れを示す図である。
【０１４１】
本変更例の反転搬送経路部Ｃ１３は、図１９（ａ）および図２０（ａ）に示すような、第２スタッカ用一時保留部２０２に対応するスタッカ搬送路１４６（第２カセット用一時保留部１８２に対応するカセット搬送路１４５）、非反転部１６２を含むメイン搬送路１４１、カセット搬送路１４５を通って第１カセット用一時保留部１８１に至る搬送経路と、図１９（ｂ）および図２０（ｂ）に示すような、第１カセット用一時保留部１８１からカセット搬送路１４５、非反転部１６２を含むメイン搬送路１４１、出金搬送路１４３を通って出金部１２０に至る搬送経路と、によって構成される。
【０１４２】
第２スタッカ用一時保留部２０２から繰り出された紙幣（地裏向きと識別された紙幣）が、反転搬送経路部Ｃ１３を搬送される場合、図１９（ａ）に示すように、繰り出された紙幣は、メイン搬送路１４１の下側で表裏反転されるがメイン搬送路１４１の上側で表裏反転されるので、結果、表裏が反転しないままメイン搬送路１４１から第１カセット用一時保留部１８１に対応するカセット搬送路１４５に移る。そして、紙幣は、このカセット搬送路１４５で表裏反転され、第１カセット用一時保留部１８１に一旦保留される。図１９（ｂ）に示すように、第１カセット用一時保留部１８１から繰り出された紙幣は、カセット搬送路１４５で表裏反転されるがメイン搬送路１４１の上側で再び表裏反転されるので、結果、表裏反転されないままメイン搬送路１４１を流れ、天表向きの状態で出金部１２０に至る。
【０１４３】
同様に、第２カセット用一時保留部１８２から繰り出された紙幣（天裏向きと識別された紙幣）が、反転搬送経路部Ｃ１３を搬送される場合、図２０（ａ）に示すように、繰り出された紙幣は、カセット搬送路１４５で表裏反転され、第１カセット用一時保留部１８１に一旦保留される。そして、図２０（ｂ）に示すように、第１カセット用一時保留部１８１から繰り出された紙幣は、表裏反転されないままメイン搬送路１４１を流れ、地表向きの状態で出金部１２０に至る。
【０１４４】
図２１（ａ）および（ｂ）は、変更例１に係る、計数整理処理の制御動作を示すフローチャートである。図２１（ａ）および（ｂ）では、上記第１実施形態の制御処理から変更となった部分の処理のみが示されている。
【０１４５】
本変更例では、図２１（ａ）のように、図５のＳ１１５ないしＳ１１８の処理がＳ１５１ないしＳ１５７の処理に置き換えられ、図２１（ｂ）のように、図５のＳ１２４ないしＳ１２７の処理がＳ１５８ないしＳ１６４の処理に置き換えられる。
【０１４６】
図２１（ａ）を参照し、第３スタッカ用一時保留部２０３からの紙幣が全て出金部１２０に投出されると（Ｓ１１４：ＹＥＳ）、制御部１３は、第２スタッカ用一時保留部２０２内の紙幣を一枚ずつ繰り出し（Ｓ１５１）、繰り出した紙幣を、搬送部１４０（反転搬送経路部Ｃ１３）に搬送させ、この際にカセット搬送路１４５でその表裏の向きを反転させた後（Ｓ１５２）、第１カセット用一時保留部１８１に収納させる（Ｓ１５３）。第２スタッカ用一時保留部２０２内の全ての紙幣が、第１カセット用一時保留部１８１に収納されると（Ｓ１５４：ＹＥＳ）、制御部１３は、第１カセット用一時保留部１８１から紙幣を一枚ずつ繰り出し（Ｓ１５５）、搬送部１４０（反転搬送経路部Ｃ１３）に搬送させ、出金部１２０に投出させる（Ｓ１５６）。第１カセット用一時保留部１８１内の全ての紙幣が出金部１２０に投出されると（Ｓ１５７：ＹＥＳ）、制御部１３は、出金部１２０からの紙幣の抜き取りを促す報知として、操作表示部１５に抜き取り催促画面Ｓ１を表示させる（Ｓ１１９）。
【０１４７】
図２１（ｂ）を参照し、第１スタッカ用一時保留部２０１からの紙幣が全て出金部１２０に投出されると（Ｓ１２３：ＹＥＳ）、制御部１３は、第２カセット用一時保留部１８２内の紙幣を一枚ずつ繰り出し（Ｓ１５８）、繰り出した紙幣を、搬送部１４０（反転搬送経路部Ｃ１３）に搬送させ、この際にカセット搬送路１４５でその表裏の向きを反転させた後（Ｓ１５９）、第１カセット用一時保留部１８１に収納させる（Ｓ１６０）。第２カセット用一時保留部１８２内の全ての紙幣が、第１カセット用一時保留部１８１に収納されると（Ｓ１６１：ＹＥＳ）、制御部１３は、第１カセット用一時保留部１８１から紙幣を一枚ずつ繰り出し（Ｓ１６２）、搬送部１４０（反転搬送経路部Ｃ１３）に搬送させ、出金部１２０に投出させる（Ｓ１６３）。第１カセット用一時保留部１８１内の全ての紙幣が出金部１２０に投出されると（Ｓ１６４：ＹＥＳ）、制御部１３は、出金部１２０からの紙幣の抜き取りを促す報知として、操作表示部１５に抜き取り催促画面Ｓ１を表示させる（Ｓ１２８）。
【０１４８】
本変更例では、反転部１６１を経由させることなく紙幣の表裏を反転させることができる。たとえば、表裏反転の対象となる紙幣が２枚に重なった状態で搬送部１４０を搬送される事態が生じた場合、反転部１６１を経由すると、スイッチバック方式の反転機構部分で紙幣の詰まりが生じやすい。本変更例の構成では、反転部１６１を経由しないので、紙幣が２枚に重なっていても、紙幣の詰まりが生じにくい。
【０１４９】
上記の例では、第２スタッカ用一時保留部２０２から繰り出された紙幣および第２カセット用一時保留部１８２から繰り出された紙幣が、常に、反転搬送経路部Ｃ１３により搬送される。しかしながら、識別部１５０により複数（２枚）の紙幣が重なっているか否かを識別することで、紙幣が重なった状況にある場合にのみ、反転搬送経路部Ｃ１３を用いるようにし、紙幣が重なった状況にない場合には、反転搬送経路部Ｃ１２を用いるようにしてもよい。
【０１５０】
＜変更例２＞
上記第１実施形態では、計数整理処理において、係員が表裏および天地の向きが揃った整理枚数の紙幣の束としやすいような状態で、出金部１２０に紙幣の束が投出された。計数整理処理の同様に、貨幣入出金機１により行われる出金処理においても、この出金処理の結果、係員が表裏および天地の向きが揃った出金枚数の紙幣の束としやすいような状態で、出金部１２０に紙幣の束が投出されるようにしてもよい。
【０１５１】
図２２および図２３は、変更例２に係る、出金処理の制御動作を示すフローチャートである。図２４（ａ）は、変更例２に係る、スタッカ１９０から繰り出され天表向きと識別された紙幣が、出金部１２０に投出されるまでの流れを示す図であり、図２４（ｂ）は、変更例２に係る、スタッカ１９０から繰り出され地裏向きと識別された紙幣が、出金部１２０に投出されるまでの流れを示す図である。図２５（ａ）は、変更例２に係る、スタッカ１９０から繰り出され天裏向きと識別された紙幣が、第１カセット用一時保留部１８１に収納されるまでの流れを示す図であり、図２５（ｂ）は、変更例２に係る、スタッカ１９０から繰り出され地表天裏向きと識別された紙幣が、第１カセット用一時保留部１８１に収納されるまでの流れを示す図である。図２６は、変更例２に係る、第１カセット用一時保留部１８１から繰り出された紙幣が、出金部１２０に投出されるまでの流れを示す図である。
【０１５２】
係員（テラー）により、金種と枚数を指定した出金操作が行われると、出金処理が開始される。
【０１５３】
図２２および図２３を参照して、制御部１３は、スタッカ１９０から一枚ずつ紙幣を繰り出させて搬送部１４０に搬送させ（Ｓ３０１）、搬送部１４０を流れる紙幣の属性（金種、表裏の向き、天地の向き等）を識別部１５０により識別する（Ｓ３０２）。
【０１５４】
次に、制御部１３は、識別部１５０での識別結果に基づいて、紙幣の向きが、天表向き、地裏向き、地表向きおよび天裏向きの何れであるかを判定する（Ｓ３０３）。
【０１５５】
紙幣の向きが天表向きである場合（Ｓ３０３：天表向き）、制御部１３は、その紙幣を反転部１６１に通さず非反転部１６２に通して出金部１２０に投出させる（Ｓ３０４）。図２４（ａ）に示すように、スタッカ１９０、たとえば、第３スタッカ１９３から繰り出され天表向きと識別された紙幣は、第１実施形態で説明した非反転搬送経路部Ｃ１１を搬送され、天表向きの状態のまま、出金部１２０に払い出される。
【０１５６】
一方、紙幣の向きが地裏向きである場合（Ｓ３０３：地裏向き）、制御部１３は、その紙幣を反転部１６１に通してその表裏の向きを反転させた後（Ｓ３０５）、出金部１２０に投出させる（Ｓ３０４）。図２４（ｂ）に示すように、地裏向きと識別された紙幣は、第１実施形態で説明した反転搬送経路部Ｃ１２を搬送され、天表向きの状態に変えられて、出金部１２０に払い出される。
【０１５７】
また、紙幣の向きが天裏向きである場合（Ｓ３０３：天裏向き）、制御部１３は、その紙幣を反転部１６１に通さず非反転部１６２に通し、さらにカセット搬送路１４５を通してその表裏の向きを反転させた後（Ｓ３０６）、第１カセット用一時保留部１８１に収納させる（Ｓ３０７）。図２５（ａ）に示すように、天裏向きと識別された紙幣は、非反転部１６２を含むメイン搬送路１４１およびスタッカ搬送路１４６で構成される反転搬送経路部Ｃ１４を搬送され、地表向きの状態に変えられて第１カセット用一時保留部１８１に収納される。
【０１５８】
一方、紙幣の向きが地表向きである場合（Ｓ３０３：地表向き）、制御部１３は、その紙幣を反転部１６１に通してその表裏の向きを反転させた後（Ｓ３０８）、さらにカセット搬送路１４５を通してその表裏の向きを反転させ（Ｓ３０６）、元の向きに戻った紙幣を第１カセット用一時保留部１８１に収納させる（Ｓ３０７）。図２５（ｂ）に示すように、地表向きと識別された紙幣は、反転部１６１を含むメイン搬送路１４１およびスタッカ搬送路１４６で構成される非反転搬送経路部Ｃ１５を搬送され、地表向きの状態のまま第１カセット用一時保留部１８１に収納される。
【０１５９】
スタッカ１９０から出金枚数分の紙幣が繰り出されると（Ｓ３０９：ＹＥＳ）、制御部１３は、スタッカ１９０からの紙幣の繰り出しを停止する（Ｓ３１０）。
【０１６０】
こうして、出金部１２０には、天表向きの状態に表裏および天地の向きが揃えられた紙幣の束が投出され、第１カセット用一時保留部１８１には、地表向きの状態に表裏および天地の向きが揃えられた紙幣の束が収納される。
【０１６１】
次に、制御部１３は、出金部１２０からの紙幣の抜き取りを促す報知として、第１実施形態と同様の抜き取り催促画面Ｓ１（図９参照）を、操作表示部１５に表示させる（Ｓ３１１）。報知を受けた係員は、出金部１２０から天表紙幣の束を抜き取り、一時的に保管する。
【０１６２】
出金部１２０から紙幣が抜き取られると（Ｓ３１２：ＹＥＳ）、制御部１３は、第１カセット用一時保留部１８１内の紙幣を一枚ずつ繰り出し（Ｓ３１３）、繰り出した紙幣を搬送部１４０により出金部１２０に投出させる（Ｓ３１４）。この際、制御部１３は、紙幣を、反転部１６１を通さず非反転部１６２に通す。
【０１６３】
図２６に示すように、第１カセット用一時保留部１８１から繰り出された紙幣は、搬送部１４０のうち、カセット搬送路１４５と、非反転部１６２を含むメイン搬送路１４１と、出金搬送路１４３とで構成される搬送経路部により搬送され、地表向きの状態のまま出金部１２０に投出される。こうして、地表向きの状態に表裏および天地の向きが揃えられた紙幣の束が出金部１２０に払い出される。
【０１６４】
第１カセット用一時保留部１８１からの紙幣が全て出金部１２０に投出されると（Ｓ３１５：ＹＥＳ）、制御部１３は、出金部１２０からの紙幣の抜き取りを促す報知として、操作表示部１５に抜き取り催促画面Ｓ１を表示させる（Ｓ３１６）。そして、出金部１２０から紙幣が抜き取られると（Ｓ３１７：ＹＥＳ）、制御部１３は、出金処理を終了する。
【０１６５】
報知を受けた係員は、出金部１２０から紙幣の束を抜き取ると、その紙幣の天地の向きを反転させて、その向きを先に受け取った紙幣の束の向きと同じにし、先に受け取った紙幣の束と重ね合せる。これにより、表裏および天地の向きが揃えられた出金枚数の紙幣の束が出来上がる。
【０１６６】
本変更例の構成によれば、係員は、出金処理において、最初に出金部１２０に投出された紙幣の束と、次に出金部１２０に投出された紙幣の束との表裏および天地の向きを合わせるだけで、容易に表裏および天地の向きが揃った出金枚数の紙幣の束を得ることができる。
【０１６７】
また、本変更例の構成によれば、表裏および天地の向きが揃った２種類の紙幣の束を、それぞれ別々のスタッカ１９０に収納しておく必要がなく、この分別のために同じ金種の紙幣を収納するスタッカ１９０を２つ設けなくてよい。
＜その他の変更例＞
上記第１実施形態および上記第２実施形態では、紙幣を天地方向に沿って表裏反転させる反転部１６１が用いられた。しかしながら、スパイラル状に形成された反転搬送路を含む反転部を用いて、紙幣を左右方向に沿って表裏反転させるようにしてもよい。
【０１６８】
また、上記第１実施形態の貨幣入出金機１は、硬貨入出金ユニット１２が設けられず、紙幣のみが処理されるものであってもよい。
【０１６９】
さらに、上記第１実施形態の貨幣入出金機１では、搬送部１４０を構成するメイン搬送路１４１に紙幣揃え部１６０が設けられた。しかしながら、図２７に示すように、搬送部１４０を構成する出金搬送路１４３に紙幣揃え部２１０が設けられてもよい。
【０１７０】
図２７に示すように、出金搬送路１４３、即ち搬送部１４０は、出金部１２０の手前で上部出金搬送路２１１と下部出金搬送路２１２とに分岐される。上部出金搬送路２１１は、紙幣を一旦上方に搬送し、その紙幣を出金部１２０に上方から投出させる。下部出金搬送路２１２は、紙幣を一旦下方に搬送し、その紙幣を出金部１２０に下方から投出させる。上部出金搬送路２１１および下部出金搬送路２１２により、紙幣は、紙面が前後方向を向くように上下方向に立った状態で出金部１２０に投出され、その状態で出金部１２０内に保持される。
【０１７１】
上部出金搬送路２１１と下部出金搬送路２１２とにより、紙幣揃え部２１０が構成される。即ち、表面が上向きで搬送されてきた紙幣は、上部出金搬送路２１１を搬送された結果、表面が前向きとなって出金部１２０に投出され、裏面が上向きで搬送されてきた紙幣は、下部出金搬送路２１２を搬送された結果、表面が前向きとなって出金部１２０に投出される。このようにして、紙幣揃え部２１０により、出金部１２０に投出された紙幣の表裏が揃う。
【０１７２】
なお、この構成では、リジェクト部が設けられず、出金部１２０にリジェクトされる紙幣が払い出される。
【０１７３】
貨幣入出金機１が上記のような構成とされた場合、計数整理処理における、一時保留領域部Ｒ２から出金部１２０への紙幣の流れは、図２８（ａ）および（ｂ）に示す通りとなる。
【０１７４】
即ち、制御部１３は、第３スタッカ用一時保留部２０３に収納された、天表向きと識別された紙幣を、図２８（ａ）の実線矢印に示すように、スタッカ搬送路１４６、メイン搬送路１４１および上部出金搬送路２１１を搬送させて出金部１２０に投出させ、第２スタッカ用一時保留部２０２に収納された、地裏向きと識別された紙幣を、図２８（ａ）の破線矢印に示すように、スタッカ搬送路１４６、メイン搬送路１４１および下部出金搬送路２１２を搬送させて出金部１２０に投出させる。これにより、出金部１２０には、表面が前方を向き天方向が上方を向いた状態で、表裏および天地の向きが揃った紙幣の束が払い出される。この紙幣の束が出金部１２０から抜き取られると、制御部１３は、第１スタッカ用一時保留部２０１に収納された、地表向きと識別された紙幣を、図２８（ｂ）の実線矢印に示すように、スタッカ搬送路１４６、メイン搬送路１４１および上部出金搬送路２１１を搬送させて出金部１２０に投出させ、第２カセット用一時保留部１８２に収納された、天裏向きと識別された紙幣を、図２８（ｂ）の破線矢印に示すように、スタッカ搬送路１４６、メイン搬送路１４１および下部出金搬送路２１２を搬送させて出金部１２０に投出させる。これにより、出金部１２０には、表面が前方を向き地方向が上方を向いた状態で、表裏および天地の向きが揃った紙幣の束が払い出される。
【０１７５】
なお、上部出金搬送路２１１が、特許請求の範囲の「第１出金搬送路」に対応し、下部出金搬送路２１２が、特許請求の範囲の「第２出金搬送路」に対応する。
【０１７６】
なお、上記第１実施形態では、制御部１３は、紙幣検出部１２１から紙幣がないとの検出結果が出力されると、紙幣が抜き取られたと判定することとしたが、このような態様に限られない。すなわち、紙幣の搬送を指示するための操作ボタンが押下されることにより、制御部１３は、紙幣が抜き取られたと判定することとしてもよい。たとえば、図２９に示すように、操作表示部１５に表示された抜き取り催促画面Ｓ１に紙幣の搬送を指示するための操作ボタンＢ１が含められてもよい。この場合、操作ボタンＢ１は、特許請求の範囲の「搬送指示部」に対応する。また、操作表示部１５の画面上ではなく、その他の部位、たとえば、出金部１２０に操作ボタンが設けられてもよい。
【０１７７】
さらに、第１実施形態において、搬送される紙幣は、その長手方向（左右方向）が搬送方向を向くようにして搬送部１４０により搬送されるようにしてもよい。この場合であっても、最初に出金部１２０に投出された紙幣の束と、次に出金部１２０に投出された紙幣の束との表裏および天地の向きを合わせるだけで、容易に表裏および天地の向きが揃った整理枚数の紙幣の束を得ることができる。
【０１７８】
この他、本発明の実施形態は、特許請求の範囲に記載の範囲で適宜変更可能である。
【符号の説明】
【０１７９】
１  貨幣入出金機（紙幣処理装置）
１３  制御部
１５  操作表示部（報知部）
１１０  入金部
１２０  出金部
１２１  紙幣検出部
１４０  搬送部
１５０  識別部
２１１  上部出金搬送路（第１出金搬送路）
２１２  下部出金搬送路（第２出金搬送路）
２  紙幣処理機（紙幣処理装置）
２３  制御部
２５  操作表示部（報知部）
３１０  入金部
３３０  出金部
３３１  紙幣検出部
３５０  搬送部
３６０  入金識別部（識別部）
Ｃ１１  非反転搬送経路部
Ｃ１２  反転搬送経路部
Ｃ１３  反転搬送経路部
Ｃ１４  反転搬送経路部
Ｃ１５  非反転搬送経路部
Ｃ２１  非反転搬送経路部
Ｃ２２  反転搬送経路部
Ｒ１  主収納領域部（収納領域部）
Ｒ２  一時保留領域部（収納領域部）
Ｒ４  一時保留領域部（収納領域部）
Ｂ１  操作ボタン（搬送指示部）
【図１】
2018092381.tif 000003
【図２】
2018092381.tif 000004
【図３】
2018092381.tif 000005
【図４】
2018092381.tif 000006
【図５】
2018092381.tif 000007
【図６】
2018092381.tif 000008
【図７】
2018092381.tif 000009
【図８】
2018092381.tif 000010
【図９】
2018092381.tif 000011
【図１０】
2018092381.tif 000012
【図１１】
2018092381.tif 000013
【図１２】
2018092381.tif 000014
【図１３】
2018092381.tif 000015
【図１４】
2018092381.tif 000016
【図１５】
2018092381.tif 000017
【図１６】
2018092381.tif 000018
【図１７】
2018092381.tif 000019
【図１８】
2018092381.tif 000020
【図１９】
2018092381.tif 000021
【図２０】
2018092381.tif 000022
【図２１】
2018092381.tif 000023
【図２２】
2018092381.tif 000024
【図２３】
2018092381.tif 000025
【図２４】
2018092381.tif 000026
【図２５】
2018092381.tif 000027
【図２６】
2018092381.tif 000028
【図２７】
2018092381.tif 000029
【図２８】
2018092381.tif 000030
【図２９】
2018092381.tif 000031